【手続補正書】
【提出日】平成21年9月17日(2009.9.17)
【手続補正１】
【補正対象書類名】特許請求の範囲
【補正対象項目名】全文
【補正方法】変更
【補正の内容】
【特許請求の範囲】
【請求項１】
文字データと非文字データを含む画像データを処理するための画像処理方法であって、
記録媒体の片面に対してのみ記録ヘッドからインクを吐出して記録を行う片面記録モード、あるいは記録媒体の両面に対して記録ヘッドからインクを吐出して記録を行う両面記録モードを設定する工程と、
前記両面記録モードを設定した場合、前記記録媒体上の単位領域あたりのインク付与量を前記片面記録モードよりも少なくする第１処理を、前記文字データのエッジ部と非エッジ部のうち前記非エッジ部についてのみ行う文字データ処理工程と、
前記両面記録モードを設定した場合、前記記録媒体上の単位領域あたりのインク付与量を前記片面記録モードよりも少なくする第２処理を、前記非文字データについて行う非文字データ処理工程とを有することを特徴とする画像処理方法。
【請求項２】
前記画像データを、記録に使用されるインクに対応した色分解データに変換するあたり、前記画像データに含まれる文字および非文字のデータそれぞれを、文字および非文字の色分解データに変換する変換工程と、
前記文字および非文字の色分解データそれぞれに基づいて、文字および非文字の２値データを生成する２値化工程とを更に有し、
前記非文字データ処理工程における前記第２処理は、前記変換工程において実行されることを特徴とする請求項１に記載の画像処理方法。
【請求項３】
前記変換工程におけるデータ変換は、前記画像データと前記色分解データを関連付けたルックアップテーブルを用いて実行され、
前記両面記録モードで使用される両面記録用のルックアップテーブルは、前記片面記録モードで使用される片面記録用のルックアップテーブルよりも、前記単位領域あたりのインク付与量が少なくなるようデータ変換されるものであり、
前記第２処理は、前記両面記録用のルックアップテーブルを用いることで実行されることを特徴とする請求項２に記載の画像処理方法。
【請求項４】
前記２値化工程において生成された２値データに基づいて、前記記録媒体上の実際のインク吐出位置を示す吐出データを生成する生成工程を更に有し、
前記文字データ処理工程における前記第１処理は、前記生成工程において実行されるものであり、
前記第１処理は、前記文字の２値データのうち前記非エッジ部についてドット間引きを行うことで実行されることを特徴とするとする請求項２に記載の画像処理方法。
【請求項５】
前記画像データを、記録に使用されるインクに対応した色分解データに変換するあたり、前記画像データに含まれる文字および非文字のデータそれぞれを、文字および非文字の色分解データに変換する変換工程と、
前記文字および非文字の色分解データそれぞれに基づいて、文字および非文字の２値データを生成する２値化工程と、
前記２値化工程において生成された文字および非文字の２値データに基づいて、前記記録媒体上の実際のインク吐出位置を示す、文字および非文字の吐出データを生成する生成工程とを更に有し、
前記文字データ処理工程における前記第１処理は、前記文字の２値データのうち前記非エッジ部についてドット間引きを行うことで実行され、
前記非文字データ処理工程における前記第２処理は、前記非文字の２値データについてドット間引きを行うことで実行されることを特徴とする請求項１に記載の画像処理方法。
【請求項６】
前記第１処理および前記第２処理の少なくとも一方は、前記単位領域に打ち込まれるドットを間引く処理であることを特徴とする請求項１に記載の画像処理方法。
【請求項７】
文字データと非文字データを含む画像データを処理するための画像処理方法であって、
前記画像データを、記録に使用されるインクに対応した色分解データに変換するあたり、前記画像データに含まれる文字および非文字のデータそれぞれを、文字および非文字の色分解データに変換する変換工程と、
前記文字および非文字の色分解データそれぞれに基づいて、文字および非文字の２値データを生成する２値化工程と、
記録媒体の両面に対して記録ヘッドからインクを吐出して記録を行う両面記録モードを設定する設定工程と、
前記両面記録モードを設定した場合、前記文字のエッジ部と非エッジ部の２値データのうち、前記非エッジ部についてのみドット間引きを行う間引き工程と、
を有することを特徴とする画像処理方法。
【請求項８】
文字データと非文字データを含む画像データを処理するための画像処理方法であって、
記録媒体の両面に対して記録ヘッドからインクを吐出して記録を行う両面記録モードを設定する工程と、
前記両面記録モードが設定された場合、前記文字データをエッジ部と非エッジ部に分け、前記記録媒体上の単位領域あたりのインク付与量を減じるための第１処理を前記文字データの前記エッジ部と前記非エッジ部のうち前記非エッジ部についてのみ行う文字データ処理工程と、
前記両面記録モードが設定された場合、前記記録媒体上の単位領域あたりのインク付与量を減じるための第２処理を前記非文字データについて行う非文字データ処理工程とを有することを特徴とする画像処理方法。
【請求項９】
請求項１乃至８のいずれかに記載の画像処理方法を実行するための画像処理装置。
【請求項１０】
画像データに基づいて記録ヘッドからインクを吐出して記録を行うためのインクジェット記録装置を用いた画像形成システムであって、
記録媒体の片面に対してのみ記録ヘッドからインクを吐出して記録を行う片面記録モード、あるいは記録媒体の両面に対して記録ヘッドからインクを吐出して記録を行う両面記録モードを設定する設定手段と、
前記両面記録モードを設定した場合、前記記録媒体上の単位領域あたりのインク付与量を前記片面記録モードよりも少なくする第１処理を、前記画像データに含まれる文字データのエッジ部と非エッジ部のうち前記非エッジ部についてのみ行う文字データ処理手段と、
前記両面記録モードを設定した場合、前記記録媒体上の単位領域あたりのインク付与量を前記片面記録モードよりも少なくする第２処理を、前記画像データに含まれる非文字データについて行う非文字データ処理手段とを有することを特徴とする画像形成システム。
【請求項１１】
記録ヘッドからインクを吐出して記録を行うためのインクジェット記録装置を用いた画像形成システムであって、
文字データと非文字データを含む画像データを、記録に使用されるインクに対応した色分解データに変換するあたり、前記画像データに含まれる文字および非文字のデータそれぞれを、文字および非文字の色分解データに変換する変換手段と、
前記文字および非文字の色分解データそれぞれに基づいて、文字および非文字の２値データを生成する２値化手段と、
記録媒体の両面に対して記録ヘッドからインクを吐出して記録を行う両面記録モードを設定する設定手段と、
前記両面記録モードを設定した場合、前記文字のエッジ部と非エッジ部の２値データのうち、前記非エッジ部についてのみドット間引きを行う間引き手段と、
を有することを特徴とする画像形成システム。
【請求項１２】
文字データと非文字データを含む画像データに基づいて記録ヘッドからインクを吐出して記録を行うためのインクジェット記録装置を用いた画像形成システムであって、
記録媒体の両面に対して記録ヘッドからインクを吐出して記録を行う両面記録モードを設定する手段と、
前記両面記録モードが設定された場合、前記文字データをエッジ部と非エッジ部に分け、前記記録媒体上の単位領域あたりのインク付与量を減じるための第１処理を前記エッジ部と前記非エッジ部のうち前記非エッジ部についてのみ行う文字データ処理手段と、
前記両面記録モードが設定された場合、前記記録媒体上の単位領域あたりのインク付与量を減じるための第２処理を前記非文字データについて行う非文字データ処理手段とを有することを特徴とする画像形成システム。
【手続補正２】
【補正対象書類名】明細書
【補正対象項目名】０００９
【補正方法】変更
【補正の内容】
【０００９】
そのために本発明では、文字データと非文字データを含む画像データを処理するための画像処理方法であって、記録媒体の片面に対してのみ記録ヘッドからインクを吐出して記録を行う片面記録モード、あるいは記録媒体の両面に対して記録ヘッドからインクを吐出して記録を行う両面記録モードを設定する工程と、前記両面記録モードを設定した場合、前記記録媒体上の単位領域あたりのインク付与量を前記片面記録モードよりも少なくする第１処理を、前記文字データのエッジ部と非エッジ部のうち前記非エッジ部についてのみ行う文字データ処理工程と、前記両面記録モードを設定した場合、前記記録媒体上の単位領域あたりのインク付与量を前記片面記録モードよりも少なくする第２処理を、前記非文字データについて行う非文字データ処理工程とを有することを特徴とする。
【手続補正３】
【補正対象書類名】明細書
【補正対象項目名】００１０
【補正方法】変更
【補正の内容】
【００１０】
また、文字データと非文字データを含む画像データを処理するための画像処理方法であって、前記画像データを、記録に使用されるインクに対応した色分解データに変換するあたり、前記画像データに含まれる文字および非文字のデータそれぞれを、文字および非文字の色分解データに変換する変換工程と、前記文字および非文字の色分解データそれぞれに基づいて、文字および非文字の２値データを生成する２値化工程と、記録媒体の両面に対して記録ヘッドからインクを吐出して記録を行う両面記録モードを設定する設定工程と、前記両面記録モードを設定した場合、前記文字のエッジ部と非エッジ部の２値データのうち、前記非エッジ部についてのみドット間引きを行う間引き工程と、を有することを特徴とする。
【手続補正４】
【補正対象書類名】明細書
【補正対象項目名】００１１
【補正方法】変更
【補正の内容】
【００１１】
さらに、文字データと非文字データを含む画像データを処理するための画像処理方法であって、記録媒体の両面に対して記録ヘッドからインクを吐出して記録を行う両面記録モードを設定する工程と、前記両面記録モードが設定された場合、前記文字データをエッジ部と非エッジ部に分け、前記記録媒体上の単位領域あたりのインク付与量を減じるための第１処理を前記文字データの前記エッジ部と前記非エッジ部のうち前記非エッジ部についてのみ行う文字データ処理工程と、前記両面記録モードが設定された場合、前記記録媒体上の単位領域あたりのインク付与量を減じるための第２処理を前記非文字データについて行う非文字データ処理工程とを有することを特徴とする。
【手続補正５】
【補正対象書類名】明細書
【補正対象項目名】００１２
【補正方法】変更
【補正の内容】
【００１２】
さらに、画像データに基づいて記録ヘッドからインクを吐出して記録を行うためのインクジェット記録装置を用いた画像形成システムであって、記録媒体の片面に対してのみ記録ヘッドからインクを吐出して記録を行う片面記録モード、あるいは記録媒体の両面に対して記録ヘッドからインクを吐出して記録を行う両面記録モードを設定する設定手段と、前記両面記録モードを設定した場合、前記記録媒体上の単位領域あたりのインク付与量を前記片面記録モードよりも少なくする第１処理を、前記画像データに含まれる文字データのエッジ部と非エッジ部のうち前記非エッジ部についてのみ行う文字データ処理手段と、前記両面記録モードを設定した場合、前記記録媒体上の単位領域あたりのインク付与量を前記片面記録モードよりも少なくする第２処理を、前記画像データに含まれる非文字データについて行う非文字データ処理手段とを有することを特徴とする。
【手続補正６】
【補正対象書類名】明細書
【補正対象項目名】００１３
【補正方法】変更
【補正の内容】
【００１３】
さらに、記録ヘッドからインクを吐出して記録を行うためのインクジェット記録装置を用いた画像形成システムであって、文字データと非文字データを含む画像データを、記録に使用されるインクに対応した色分解データに変換するあたり、前記画像データに含まれる文字および非文字のデータそれぞれを、文字および非文字の色分解データに変換する変換手段と、前記文字および非文字の色分解データそれぞれに基づいて、文字および非文字の２値データを生成する２値化手段と、記録媒体の両面に対して記録ヘッドからインクを吐出して記録を行う両面記録モードを設定する設定手段と、前記両面記録モードを設定した場合、前記文字のエッジ部と非エッジ部の２値データのうち、前記非エッジ部についてのみドット間引きを行う間引き手段と、を有することを特徴とする。
【手続補正７】
【補正対象書類名】明細書
【補正対象項目名】００１４
【補正方法】変更
【補正の内容】
【００１４】
さらに、文字データと非文字データを含む画像データに基づいて記録ヘッドからインクを吐出して記録を行うためのインクジェット記録装置を用いた画像形成システムであって、記録媒体の両面に対して記録ヘッドからインクを吐出して記録を行う両面記録モードを設定する手段と、前記両面記録モードが設定された場合、前記文字データをエッジ部と非エッジ部に分け、前記記録媒体上の単位領域あたりのインク付与量を減じるための第１処理を前記エッジ部と前記非エッジ部のうち前記非エッジ部についてのみ行う文字データ処理手段と、前記両面記録モードが設定された場合、前記記録媒体上の単位領域あたりのインク付与量を減じるための第２処理を前記非文字データについて行う非文字データ処理手段とを有することを特徴とする。